(57)【要約】【課題】自分史という叙情的な本において、その情景にあったＢＧＭや臨場感あふれる語りを供給して自分史の演出効果を高める。【解決手段】本体ａには、所定のページに複数の透光孔７〜９を形成するとともに、各透光孔に対応した位置に設けた光センサー１０〜１２を備える一方、再生機構Ｃには本体の特定のページに表された絵柄や写真等の情景に対応するＢＧＭや語り等のソフトが複数記憶する記憶部１６と、記憶部に記憶されたソフトを再生する圧縮データを再生する超小型オーディオプレーヤー、ＣＤプレーヤーあるいはＤＶＤプレーヤーのいずれかからなる再生部１７と、光センサーの出力信号に応じて必要ページに対応したソフトを記憶部から選択するとともに、その選択されたソフトを再生部から出力させる処理部１５とを備え、本体の光センサーと再生機構の処理部とをブルートゥースあるいは赤外線を用いた無線で接続してなる。【選択図】  図３
2007101793.tif 000002
【特許請求の範囲】
【請求項１】
本体には、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等のソフトが複数記憶する記憶部と、この記憶部に記憶されたソフトを再生する圧縮データを再生する超小型オーディオプレーヤー、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記本体の光センサーと、再生機構の処理部とを、ブルートゥースあるいは赤外線を用いた無線で接続してなる自分史用ブックシステム。
【請求項２】
本体には、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等からなる複数のソフトを記憶する記憶部と、この記憶部に記憶されたソフトを再生する圧縮データを再生する超小型オーディオプレーヤー、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記再生機構を本体に内蔵させてなる自分史用ブックシステム。
【発明の詳細な説明】
【技術分野】
【０００１】
この発明は、本体の所定のページに表された絵柄や写真等の情景に対応するＢＧＭや語り等のソフトを出力する自分史用ブックシステムに関する。
【背景技術】
【０００２】
従来から知られているこの種のシステムは、本体にいわゆる電子音を発生する音発生機構を内蔵しているのが、ほとんどである。
【特許文献１】実用新案登録第３００４５２８号公報
【発明の開示】
【発明が解決しようとする課題】
【０００３】
上記のように電子音を発生させるものは、その音域や音質に限界があるので、特に情緒を重んじる自分史において、情景にマッチしたＢＧＭや臨場感にあふれた語りを出力できず、その演出効果を十分に発揮できないという問題があった。
【０００４】
この発明の目的は、自分史という叙情的な本において、その情景にあったＢＧＭや臨場感あふれる語りを供給して、自分史の演出効果を高めることができる自分史用ブックシステムを提供することである。
【課題を解決するための手段】
【０００５】
第１の発明は、本体に、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等の複数のソフトを記憶する記憶部と、この記憶部に記憶されたソフトを再生するｉＰｏｄ（アップル  コンピューター  インコーポレーテッドの商標名）、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記本体の光センサーと、再生機構の処理部とを、ブルートゥースあるいは赤外線を用いた無線で接続した点に特徴を有する。
【０００６】
第２の発明は、本体に、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等の複数のソフトを記憶する記憶部と、この記憶部に記憶されたソフトを再生するｉＰｏｄ（アップル  コンピューター  インコーポレーテッドの商標名）、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記再生機構を本体に内蔵させた点に特徴を有する。
【発明の効果】
【０００７】
第１および第２の発明によれば、ＢＧＭや語り等のソフトは、ｉＰｏｄ（アップル  コンピューター  インコーポレーテッドの商標名）、ＣＤプレーヤーあるいはＤＶＤプレーヤーのいずれかからなる再生部で再生されるので、その音域が広くしかも音質に優れたＢＧＭや臨場感にあふれた語りを供給することができる。また、音域が広くしかも音質に優れたＢＧＭや臨場感にあふれた語りを供給することができるので、自分史において大きな演出効果を期待することができる。
【発明を実施するための最良の形態】
【０００８】
図示の実施形態は、本体ａの表表紙１と裏表紙２との間に、複数の紙葉３，４，５，６〜ｎを綴じこんでいる。そして、上記各紙葉３〜ｎのそれぞれには、透光孔を形成しているが、これら透光孔は、各紙葉３〜ｎの上下方向において一致する第１透光孔群７〜９からなる。このようにした第１〜３透光孔群７〜９のうち、第１透光孔群７は紙葉３以下のすべての紙葉を貫き、第２透光孔群８は紙葉４以下のすべての紙葉を貫き、第３透光孔群９は紙葉５以下のすべての紙葉を貫いている。
【０００９】
そして、上記裏表紙２であって、各第１〜３透光孔群７〜９に対応する位置に第１〜３光センサー１０〜１２を設けている。したがって、表表紙１を開けば、第１透光孔群７に光が透過するので、それに対応する第１光センサー１０が光を感知する。また、紙葉３を開けば、第１透光孔群７と第２透光孔群８とに光が透過するので、第１，２光センサー１０，１１が光を感知する。さらに、紙葉４を開けば、第１〜第３透光孔群７〜９のすべてに光が透過するので、第１〜３センサー１０〜１２のいずれかが光を感知することになる。いずれにしても、紙葉３〜ｎのいずれを開くかによって、光を感知する光センサーが異なってくるが、これによって、いずれかの紙葉が開かれているかを特定することができる。
【００１０】
なお、図２において符号１３は光度量センサーである。そして、上記光度量センサー１４は、上記した第１〜３光センサー１０〜１２が感知した光の量を検出するものである。また、符号１４は電源スイッチで、表表紙１を開くことによって、上記各センサー１０〜１３の電源をオンにするものである。
【００１１】
また、上記本体ａには、ブルートゥースや赤外線などの無線を介して再生機構Ｃを接続しているが、この再生機構Ｃは、光度量センサー１３に接続した処理部１５と、この処理部１５に接続した記憶部１６と、再生部１７とを備えている。
【００１２】
上記記憶部１６には、本体ａの特定のページに表された絵柄や写真等の情景に対応するＢＧＭや語り等の複数のソフトが記憶されている。そして、処理部１５は、第１〜３光センサー１０〜１２のうち、いずれの光センサーが光を感知しているかを判定し、その判定結果によって現在開かれているページを特定することができる。ただし、処理部１５は、上記光度量センサー１３が一定の光度量以上の光度を感知したときにだけ、上記のように判定機能を発揮するものである。このように光度量センサー１３で光度を検出させるようにしたのは、例えば、特定の紙葉をほんのわずかだけ開いた状態のとき、言い換えると、必ずしも見る気がなくて、なんとなく紙葉をわずかに開いたようなときには、処理部１５が、当該紙葉が開かれたと誤認しないようにするためである。
【００１３】
上記のようにして処理部１５が、現在開かれている紙葉を認識できたら、その紙葉に対応付けて記憶されたソフトを、上記記憶部１６から選択するとともに、その選択されたソフトを再生部１７から出力させる。なお、上記再生部１７は、ｉＰｏｄ（アップル  コンピューター  インコーポレーテッドの商標名）、ＣＤプレーヤーあるいはＤＶＤプレーヤーのいずれかからなるもので、それらに対応して、上記記憶部１６も特定されることになる。
【００１４】
したがって、本体ａの所定のページが開かれると、それを第１〜３光センサー１０〜１２が感知するとともに、それを再生機構Ｃの処理部１５に伝達する。第１〜３光センサー１０〜１２からの信号を受信した処理部１５は、開かれたページに応じたＢＧＭや語りを記憶部１６から選択して、それを再生部１７から出力させる。したがって、開いたページの情景に対応したＢＧＭや、その情景に対応した臨場感あふれる語り等が出力されることになり、大きな演出効果を期待することができる。
【００１５】
なお、上記の実施形態において、再生機構Ｃを本体ａの外部に設けたが、この再生機構Ｃを本体ａに内蔵する構成にしてもよい。このように再生機構Ｃを本体に内蔵する場合には、圧縮データを再生する超小型オーディオプレーヤーなどが最適である。
また、上記実施形態では、本体ａと再生機構Ｃとを無線で接続したが、それらを有線で接続するようにしてもよい。このように両者を有線で接続した場合には、本体ａ側には、電源を必要としないというメリットがある。言い換えると、本体ａと再生機構Ｃとを無線で接続すると、本体ａ側に電源が必要になる。
【図面の簡単な説明】
【００１６】
【図１】表表紙と裏表紙との間に紙葉を綴じた状態の説明図である。
【図２】表表紙と裏表紙間の紙葉を省略してそれら両表紙を開いた状態の平面図である。
【図３】回路図である。
【符号の説明】
【００１７】
ａ        本体
１        表表紙
２        裏表紙
３〜ｎ    紙葉
７〜９    第１〜３透光孔群
１０〜１２  第１〜３光センサー
Ｃ        再生機構
１５        処理部
１６        記憶部
１７        再生部
【図１】
2007101793.tif 000003
【図２】
2007101793.tif 000004
【図３】
2007101793.tif 000005
【手続補正書】
【提出日】平成17年10月14日(2005.10.14)
【手続補正１】
【補正対象書類名】明細書
【補正対象項目名】０００５
【補正方法】変更
【補正の内容】
【０００５】
第１の発明は、本体に、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等の複数のソフトを記憶する記憶部と、この記憶部に記憶されたソフトを再生する超小型オーディオプレーヤー、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記本体の光センサーと、再生機構の処理部とを、ブルートゥースあるいは赤外線を用いた無線で接続した点に特徴を有する。
【手続補正２】
【補正対象書類名】明細書
【補正対象項目名】０００６
【補正方法】変更
【補正の内容】
【０００６】
第２の発明は、本体に、所定のページに複数の透光孔を形成するとともに、各透光孔に対応した位置に設けた光センサーを備える一方、再生機構には、本体の特定のページに表された絵柄や写真等の情景に対応するＢＧＭ（バックグランドミュージック）や語り等の複数のソフトを記憶する記憶部と、この記憶部に記憶されたソフトを再生する超小型オーディオプレーヤー、ＣＤプレーヤーあるいはＤＶＤプレーヤーのいずれかからなる再生部と、上記光センサーの出力信号に応じて、必要ページに対応したソフトを上記記憶部から選択するとともに、その選択されたソフトを上記再生部から出力させる処理部とを備え、上記再生機構を本体に内蔵させた点に特徴を有する。
【手続補正３】
【補正対象書類名】明細書
【補正対象項目名】０００７
【補正方法】変更
【補正の内容】
【０００７】
第１および第２の発明によれば、ＢＧＭや語り等のソフトは、超小型オーディオプレーヤー、ＣＤプレーヤーあるいはＤＶＤプレーヤーのいずれかからなる再生部で再生されるので、その音域が広くしかも音質に優れたＢＧＭや臨場感にあふれた語りを供給することができる。また、音域が広くしかも音質に優れたＢＧＭや臨場感にあふれた語りを供給することができるので、自分史において大きな演出効果を期待することができる。
【手続補正４】
【補正対象書類名】明細書
【補正対象項目名】００１３
【補正方法】変更
【補正の内容】
【００１３】
上記のようにして処理部１５が、現在開かれている紙葉を認識できたら、その紙葉に対応付けて記憶されたソフトを、上記記憶部１６から選択するとともに、その選択されたソフトを再生部１７から出力させる。なお、上記再生部１７は、超小型オーディオプレーヤー、ＣＤプレーヤーあるいはＤＶＤプレーヤーのいずれかからなるもので、それらに対応して、上記記憶部１６も特定されることになる。